(57)【要約】      （修正有）【課題】活物質含有層を金属箔に塗工する過程において、活物質含有層の凸部の発生を抑制することで、諸性能が安定した二次電池、二次電池の製造方法、及び電極の提供。【解決手段】集電体の一部の領域に、活物質層８ｂ、９ｂが所定の幅で形成された正極及び負極と、前記正極及び前記負極の間に配置されたセパレータと、前記正極及び負極の少なくとも一方において、前記集電体の前記活物質層８ｂ、９ｂの幅方向の端部に波形状部２００と、を有する二次電池。又、前記活物質含有層８ｂ、９ｂの幅方向の幅Waと、活物質含有層の幅方向の幅のばらつき幅をΔWとしたとき、（式１）０．００７≦ΔW/Wａの関係性を有し、活物質含有層８ｂ、９ｂの幅方向における中間部の高さをｈa、活物質含有層の端部の高さをｈとしたとき、（式２）ha≦hの関係性を有する二次電池。【選択図】図５
2018063881.tif 000002
【特許請求の範囲】
【請求項１】
集電体の一部の領域に、活物質層が所定の幅で形成された正極および負極と、
前記正極及び前記負極の間に配置されたセパレータと、
前記正極及び負極の少なくとも一方において、前記集電体の前記活物質層の幅方向の端
部に波形状部と、
を有することを特徴とする二次電池。
【請求項２】
前記活物質含有層の幅方向の幅Waと、前記活物質含有層の幅方向の幅のばらつき幅をΔ
Wとしたとき、下記（式１）の関係性を有することを特徴とする請求項１に記載の二次電
池。
０．００７≦ΔW/Wａ         ・・・（式１）
【請求項３】
前記活物質含有層の幅方向における中間部の高さをｈa、前記活物質含有層の前記端部
の高さをｈとしたとき、下記（式２）の関係性を有することを特徴とする請求項２に記載
の二次電池。
ha≦h         ・・・（式２）
【請求項４】
活物質含有層を有する電極において、
前記活物質含有層の幅方向の端部に波形状部を有することを特徴とする電極。
【請求項５】
前記活物質含有層の幅方向の幅Waと、前記活物質含有層幅方向のばらつき幅をΔWとし
たとき、下記（式３）の関係性を有することを特徴とする請求項４に記載の電極。
０．００７≦ΔW/Wａ         ・・・（式３）
【請求項６】
前記活物質含有層の幅方向における中間部の高さをｈa、前記活物質含有層の前記端部
の高さをｈとしたとき、下記（式４）の関係性を有することを特徴とする請求項５に記載
の電極。
ha≦h         ・・・（式４）
【請求項７】
活物質含有層の幅方向の端部に波形状部を形成する電極加工工程と、
前記電極を巻き取る工程と、
を有することを特徴とする、二次電池の製造方法。
【請求項８】
前記活物質含有層の幅方向の幅Waと、前記活物質含有層の幅方向のばらつき幅をΔWと
したとき、下記（式５）の関係性を有することを特徴とする請求項７に記載の二次電池の
製造方法。
０．００７≦ΔW/Wａ         ・・・（式５）
【発明の詳細な説明】
【技術分野】
【０００１】
本発明の実施形態は、二次電池、二次電池の製造方法、電極に関する。
【背景技術】
【０００２】
リチウム二次電池等の二次電池においては、活物質含有層を金属箔に塗工する工程を含
む。また、活物質含有層を塗工した電極は巻き取られ、電極を捲きロール状態にする工程
が含まれる。
【先行技術文献】
【特許文献】
【０００３】
【特許文献１】特開２０１３―１３４９７９号公報
【発明の概要】
【発明が解決しようとする課題】
【０００４】
活物質含有層を金属箔に塗工する過程においては、活物質含有層の端部に一定の高さが
生じることがある。そのような電極を用いると二次電池の生産性および諸性能に影響を与
えることがある。よって、本発明が解決しようとする課題は、凸部の発生を抑制すること
で、諸性能が安定した二次電池、二次電池の製造方法、電極を提供することにある。
【課題を解決するための手段】
【０００５】
上記の課題を解決するために、本実施形態の二次電池は、集電体の一部の領域に、活物
質層が所定の幅で形成された正極および負極と、前記正極及び前記負極の間に配置された
セパレータと、前記正極及び負極の少なくとも一方において、前記集電体の前記活物質層
の幅方向の端部に波形状部と、を有している。
【図面の簡単な説明】
【０００６】
【図１】実施形態に係る二次電池の斜視図。
【図２】実施形態に係る二次電池に用いられる電極群の展開斜視図。
【図３】実施形態に係る二次電池に用いられる電極群の積層構造の概略図。
【図４】実施形態に係る二次電池の分解斜視図。
【図５】実施形態に係る電極の一部拡大図。
【図６】図５のＡ―Ａ´線に沿う電極の一部断面図。
【図７】実施形態に係る凸部の高さとΔＷ／Ｗａの関係を示すグラフ。
【発明を実施するための形態】
【０００７】
（第一の実施形態）
以下、実施の形態について、図面を参照して説明する。非水電解質二次電池の一例とし
て、図１及び図２に、非水電解質二次電池２０を示す。非水電解質二次電池２０は、外装
缶１、偏平形状の捲回電極群２、正極リード３、負極リード４、絶縁体４０、正極端子６
、負極端子７、とを備える。
【０００８】
外装缶１は、例えば、アルミニウム、アルミニウム合金、鉄あるいはステンレスなどの
金属から形成される。捲回電極群２は、外装缶１の第一の面６１から挿入され、外装缶１
内に捲回軸に対し直角方向に向かうように収納される。
【０００９】
捲回電極群２は、一端に正極集電タブ８ａを有し、他端に負極集電タブ９ａを有する。
図２に、捲回電極群２の展開図を、図３に捲回電極群２の積層構造を示す。正極８は、例
えば金属箔からなる帯状の正極集電体８ｃと、その片面又は両面に形成された正極活物質
層８ｂを含む。正極活物質層８ｂは、帯状の正極集電体８ｃにその長手方向に沿う一端側
に所定の幅の領域（非塗工部）が残るように形成される。この非塗工部は、正極集電体８
ｃが露出した部分であり、正極集電タブ８ａになる。負極９も同様に、例えば金属箔から
なる帯状の負極集電体９ｃと、その片面又は両面に形成された負極活物質層９ｂを含む。
負極活物質層９ｂは、帯状の負極集電体９ｃにその長手方向に沿う他端側（正極８の一端
と反対側）に所定の幅の領域（非塗工部）が残るように形成される。この非塗工部は、負
極集電体９ｃが露出した部分であり、負極集電タブ９ａになる。
【００１０】
正極８と負極９は、帯状のセパレータ１０ａ，１０ｂと交互に重ねられる。このとき、
正極集電タブ８ａは、捲回軸方向の一端側に形成され、負極集電タブ９ａは他端側に形成
される。正極８の下に重ねられたセパレータ１０ａは、その長手方向に沿う一端が正極８
の正極集電タブ側の端部よりも内側に位置するように配置される。これにより、正極集電
タブ８ａが捲回電極群２を構成する正極活物質層８ｂ、負極活物質層９ｂおよびセパレー
タ１０ａから突出する。また、セパレータ１０ａは、その長手方向に沿う他端が正極８の
他端よりも外側に位置するように配置される。正極８と負極９の間に挟まれたセパレータ
１０ｂは、その長手方向に沿う一端が負極９の負極集電タブ側の端部よりも内側に位置す
るように配置される。これにより、負極集電タブ９ａが捲回電極群２を構成する正極活物
質層８ｂ、負極活物質層９ｂおよびセパレータ１０ｂから突出する。また、セパレータ１
０ｂは、その長手方向に沿う他端が負極９の他端よりも外側に位置するように配置される
。
【００１１】
重ねられたセパレータ１０ａ、正極８、セパレータ１０ｂ、負極９を捲回し、次いで、
プレスすることにより、偏平形状の捲回電極群２が形成される。
【００１２】
捲回した捲回電極群２は、絶縁テープで巻止めする。絶縁テープは、捲回電極群２の最
外周の集電タブ以外の領域を被覆し、その領域を絶縁性にする。絶縁テープの巻き数は１
周以上であってよい。
【００１３】
捲回電極群２の作成方法は後に詳しく説明する。
【００１４】
外装缶１は、端子が配置された面６１は、例えば溶接により第三の面６３、第四の面６
４、第五の面６５、および第六の面６６に対して気密に固定されている。正極端子６及び
負極端子７は、第一の面６１に絶縁ガスケット１４，１５を介してそれぞれかしめ固定さ
れている。正極端子６及び負極端子７は、第一の面６１の背面から外装缶１内部に向けて
それぞれ突出している。正極端子６及び負極端子７の固定方法は、絶縁ガスケット１４，
１５でのかしめ固定（図示しない）の他に、ガラスを用いるハーメティックシールであっ
てよい。また、第一の面６１は、電解液を注入する注入口２８、二次電池内に発生したガ
スを排出するガス排出弁２９を備えている。第一の面６１に対して、外装缶１の内部側に
は絶縁体４０が設けられている。
【００１５】
正極リード３は、正極端子６に電気的に接続される接続プレート３ａと、接続プレート
３ａに開口された貫通孔３ｂと、接続プレート３ａから二股に分岐し、捲回電極群２に捲
回軸に対して直角方向に向けて延出した挟持部である第１、第２の挟持ストリップ３ｃ、
３ｄとを有する。接続プレート３ａは、正極端子６の箇所において第一の面６１の背面に
絶縁体４０を介して当接すると共に、第一の面６１の背面から突出した正極端子６が貫通
孔３ｂをかしめ固定する。
【００１６】
正極リード３の第１、第２の挟持ストリップ３ｃ、３ｄは、捲回軸に対して直角方向か
ら正極集電タブ８ａを挟み、第１、第２の挟持ストリップ３ｃ、３ｄと正極集電タブ８ａ
とが例えば溶接により接合される。
【００１７】
同様に、負極リード４は、負極端子７に接続される接続部である接続プレート４ａと、
接続プレート４ａに開口された貫通孔４ｂと、接続プレート４ａから二股に分岐し、捲回
電極群２に捲回軸に対して直角方向に向けて延出した挟持部である第１、第２の挟持スト
リップ４ｃ、４ｄとを有する。接続プレート４ａは、負極端子７の箇所において第一の面
６１の背面に絶縁体４０を介して当接すると共に背面から突出した負極端子７に貫通孔４
ｂをかしめ固定する。
【００１８】
負極リード４の第１、第２の挟持ストリップ４ｃ、４ｄは、捲回軸に対して直角方向か
ら負極集電タブ９ａを挟み、第１、第２の挟持ストリップ４ｃ、４ｄと負極集電タブ９ａ
とが例えば溶接により接合される。
【００１９】
以上に示した捲回電極群２と正極端子６及び負極端子７との電気的接続方法は、あくま
で一例であり、その他の方法で電気的に接続してもよい。
【００２０】
例えばこのようにして二次電池は製造されるが、捲回電極群２における正極活物質層８
ｂ及び負極活物質層９ｂは、例えばダイコーターによって、金属箔上に塗布することが出
来る。ダイコーターは、活物質層の材料を集電体に向かって吐出することで金属箔上に活
物質層の材料を塗布することが出来る。
【００２１】
図５は正極８または負極９における活物質層の塗工部と非塗工部の境界部を拡大したも
のである。図５に示すように、正極活物質層８ｂ及び負極活物質層９ｂのうち少なくとも
一方の活物質層において、非塗工部との境界部を金属箔端部と平行な直線状とするのでは
なく、波形状に変化させることで塗工端部２００の形状にばらつき（波形状部）を有した
正極活物質層８ｂ又は負極活物質層９ｂを形成している。
【００２２】
ここで、正極活物質層８ｂ又は負極活物質層９ｂの塗工端部２００における波形状部を
除いた塗工幅をＷａ、塗工端部２００における波形状部における幅をΔＷとしたときの両
者の比（変動比率）、下記式（１）の条件を満たしていることが好ましい。
０.００７≦ΔＷ／Ｗａ・・・（１）
【００２３】
さらに好ましくは、下記式（２）の条件を満たしていることが好ましい。
０.０１０≦ΔＷ／Ｗａ・・・（２）
【００２４】
図６は、図５におけるＡ―Ａ´線における断面図である。塗工部の高さにおいて、塗工
端部２００の高さをｈ、塗工部の幅方向における中間部における高さをｈａとしたとき、
下記式（３）の条件を満たしていることが好ましい。
ｈａ≦ｈ・・・（３）
【００２５】
塗工幅Ｗａ、塗工部の高さ、塗工端部２００の高さはダイコータ及び金属箔の間の距離
（大ギャップ）を変更することにより、変化させることが出来る。よって、上記式（１）
、（２）、（３）の条件を満たすように、調整することが可能である。例えば、ダイギャ
ップを大きくすることでＷａを大きくでき、ダイギャップを小さくすることでＷａを小さ
くすることが出来る。
【００２６】
また、例えば、一定のＷａを得られる条件のもとでダイギャップを大きくすると、ΔＷ
が大きくなり、ダイギャップを小さくすることでΔＷを小さくすることが出来る。このよ
うな方法を用いることで、ΔＷ／Ｗａを調整することが出来る。
【００２７】
ｈとｈａの関係もダイギャップ、吐出速度などを変化させることで、調整することが出
来る。
【００２８】
金属箔に活物質層を形成する方法としてダイコータを挙げたが、変動比率（ΔＷ／Ｗａ
）を変化できるものであればよく、例えば、グラビアコーター、スライドコーター、カテ
ンコーターを用いてもよい。
【００２９】
このようにして活物質含有層が塗工された金属箔（電極）は活物質含有層中の揮発成分
を除去するための乾燥工程を経て、電極を巻き取り、電極を捲きロール状態にする工程を
有する。
【００３０】
以上のように、前記正極及び負極の少なくとも一方において、前記集電体の前記活物質
層の幅方向の端部が波形状を形成することで、塗工端の位置が変化するため、電極を捲き
ロール状態にした時に塗工端付近の凸部の発生を抑制することが出来る。また、電極を他
の部材と（例えばセパレータ）と共に捲回した時にも、塗工端付近の凸部の発生を抑制す
ることが出来る。凸部の高さは、主にｈとｈａの差によって規定される。
【００３１】
図７は、変動比率（ΔＷ／Ｗａ）を変化させた時の、電極捲きロール状態での塗工端付近
の凸部の高さとの関係を示したものである。例えば、ΔＷ／Ｗａ≦０.００７の時、凸部
の高さが大きくなる一方、０.００７≦ΔＷ／Ｗａの時、凸部の高さを大幅に低くするこ
とが出来る。また、０.０１０≦ΔＷ／Ｗａの時、更に凸部の高さを低くすることが可能
となる。なお、このデータは捲回数１０００の時のものである。
【００３２】
また、塗工端付近の凸部発生を抑制することで、金属箔の破断を抑制することが出来る
。
【００３３】
特に、上記式（３）の条件を満たす時、すなわち、塗工端の高さが、他の塗工部の高さ
よりも高い時に、上記式（１）又は上記式（２）の条件を満たすことで塗工端付近の凸部
の発生を抑制することが出来る。また、金属箔の破断を抑制することが出来る。
【００３４】
このように金属箔に活物質層を形成する工程において、上記のような条件を満たすこと
で、電極の品質が保たれる。また、その電極を用いた二次電池の容量、入出力特性等の性
能ばらつきを抑制することが出来る。
【００３５】
実施形態に係る二次電池は、例えば、非水電解質二次電池であり得る。或いは、実施形
態に係る二次電池は、水溶液を電解質とした二次電池でも良い。
【００３６】
実施形態に係る二次電池は、先に説明した電極以外の更なる電極を具備することもでき
る。
【００３７】
実施形態に係る二次電池は、典型的には、１つ以上の負極と、１つ以上の正極とを具備
する。先に説明した電極は負極であることが好ましい。
【００３８】
負極は、負極集電体と、この負極集電体の少なくとも片面に担持された負極活物質含有
層と、負極集電体から延びた負極集電タブとを備えることができる。負極集電体と負極集
電タブとは、一体でもよいし、又は別体でもよい。
【００３９】
負極集電体としては、例えば、アルミニウム、銅などの金属箔を使用することができる
。負極集電タブの材料としては、負極集電体と同様の材料を用いることができる。
【００４０】
負極活物質含有層は、負極活物質と、任意の負極導電剤と、任意の負極結着剤とを含む
ことができる。
【００４１】
先に説明した電極が負極である場合、負極活物質含有層は、例えば、チタン酸リチウム
を含んでいてもよいし、その他例えば、アモルファス黒鉛等を用いてもよい。
【００４２】
チタン酸リチウムは、負極活物質として働くことができる。チタン酸リチウムとしては
、例えば、スピネル構造を有するＬｉ4+xＴｉ5Ｏ12（０≦ｘ≦３）や、ラムステライド構
造を有するＬｉ2+yＴｉ3Ｏ7（０≦ｙ≦３）が挙げられる。
【００４３】
このようなチタン酸リチウムは、例えば、１．５５Ｖ（ｖｓ．Ｌｉ／Ｌｉ+）以上の電
位でリチウムイオンの吸蔵及び放出を行うことができるので、チタン酸リチウムを含む負
極活物質含有層の表面には、充放電を繰り返しても、原理的にリチウムデンドライトは堆
積しない。また、チタン酸リチウムは、充放電反応に伴う体積変化がほとんどない。
【００４４】
負極活物質含有層が含むことができる他の活物質としては、例えば、グラファイトをは
じめとした炭素質物、スズ・シリコン系合金材料等を挙げることができる。
【００４５】
負極活物質の粒子形状は、粒状、繊維状のいずれであってもよい。繊維状の場合は、繊
維径が０．１μｍ以下であることが好ましい。
【００４６】
負極導電剤としては、例えばアセチレンブラック、カーボンブラック、黒鉛等を挙げる
ことができる。負極活物質と負極導電剤を結着させるための結着剤としては、例えばポリ
テトラフルオロエチレン（ＰＴＦＥ）、ポリフッ化ビニリデン（ＰＶｄＦ）、フッ素系ゴ
ム、スチレンブタジエンゴム等が挙げることができる。
【００４７】
正極は、正極集電体と、この正極集電体の少なくとも片面に担持された正極活物質含有
層と、正極集電体から延びた正極集電タブとを備えることができる。正極集電体と正極集
電タブとは、一体でもよいし、又は別体でもよい。
【００４８】
正極集電体としては、例えば、アルミニウム、銅などの金属箔を使用することができる
。正極集電タブの材料としては、正極集電体と同様のものを用いることができる。
【００４９】
正極活物質含有層は、正極活物質と、任意の正極導電剤と、任意の正極結着剤とを含む
ことができる。
【００５０】
正極活物質としては、例えば、一般的なリチウム遷移金属複合酸化物を用いることがで
きる。例えば、ＬｉＣｏＯ2、ＬｉＮｉ1-xＣｏxＯ2（０＜ｘ＜０．３）、ＬｉＭｎxＮｉy
ＣｏzＯ2（０＜ｘ＜０．５、０＜ｙ＜０．５、０≦ｚ＜０．５）、ＬｉＭｎ2-xＭxＯ4（
ＭはＬｉ、Ｍｇ、Ｃｏ、Ａｌ、Ｎｉ、０＜ｘ＜０．２）、ＬｉＭＰＯ4（ＭはＦｅ、Ｃｏ
、Ｎｉ）などである。
【００５１】
正極導電剤としては、例えば、アセチレンブラック、カーボンブラック、黒鉛等の炭素
質物を挙げることができる。結着剤としては、例えばポリテトラフルオロエチレン（ＰＴ
ＦＥ）、ポリフッ化ビニリデン（ＰＶｄＦ）、およびフッ素系ゴム等が挙げられる。
【００５２】
実施形態に係る二次電池は、電解質を更に含むことができる。電解質は、上記電極群に
含浸され得る。
【００５３】
非水電解質電池の場合、電解質としては非水電解質が用いられる。非水電解質としては
、電解質を有機溶媒に溶解することにより調製される液状非水電解質、液状電解質と高分
子材料を複合化したゲル状非水電解質等が挙げられる。液状非水電解質は、例えば電解質
を０．５ｍｏｌ／ｌ以上、２．５ｍｏｌ／ｌ以下の濃度で有機溶媒に溶解することによっ
て、調製することができる。
電解質としては、例えば、過塩素酸リチウム（ＬｉＣｌＯ4）、六フッ化リン酸リチウ
ム（ＬｉＰＦ6）、四フッ化ホウ酸リチウム（ＬｉＢＦ4）、六フッ化砒素リチウム（ＬｉＡｓＦ6）、トリフルオロメタスルホン酸リチウム（ＬｉＣＦ3ＳＯ3）、ビストリフルオ
ロメチルスルホニルイミトリチウム［ＬｉＮ（ＣＦ3ＳＯ2）2］等のリチウム塩、あるい
はこれらの混合物を挙げることができる。高電位でも酸化し難いものであることが好まし
く、ＬｉＰＦ6が最も好ましい。
【００５４】
有機溶媒としては、例えば、プロピレンカーボネート（ＰＣ）、エチレンカーボネート
（ＥＣ）、ビニレンカーボネート等の環状カーボネートや、ジエチルカーボネート（ＤＥ
Ｃ）、ジメチルカーボネート（ＤＭＣ）、メチルエチルカーボネート（ＭＥＣ）等の鎖状
カーボネートや、テトラヒドロフラン（ＴＨＦ）、２メチルテトラヒドロフラン（２Ｍｅ
ＴＨＦ）、ジオキソラン（ＤＯＸ）等の環状エーテルや、ジメトキシエタン（ＤＭＥ）、
ジエトエタン（ＤＥＥ）等の鎖状エーテルや、γ-ブチロラクトン（ＧＢＬ）、アセトニ
トリル（ＡＮ）、およびスルホラン（ＳＬ）等が挙げられる。こうした有機溶媒は、単独
でも２種以上の混合物として用いてもよい。
【００５５】
高分子材料としては、例えば、ポリフッ化ビニリデン（ＰＶｄＦ）、ポリアクリロニト
リル（ＰＡＮ）、ポリエチレンオキサイド（ＰＥＯ）等を挙げることができる。
【００５６】
なお、非水電解質として、リチウムイオンを含有した常温溶融塩（イオン性融体）、高
分子固体電解質、無機固体電解質等を用いてもよい。
【００５７】
実施形態に係る二次電池は、上記電極群及び電解質を収容する電池容器を更に具備する
ことができる。
【００５８】
電池容器としては、例えば、アルミニウム、アルミニウム合金、鉄、ステンレスなどか
ら形成された金属缶を使用することができる。電池容器の板厚は０．５ｍｍ以下が好まし
く、さらに好ましい範囲は０．２ｍｍ以下である。
【００５９】
或いは、電池容器としては、金属缶の代わりに、ラミネートフィルムから形成された容
器を使用することも可能である。ラミネートフィルムには、金属箔とこれを被覆する樹脂
フィルムとで構成された多層フィルムを使用することが好ましい。樹脂としてポリプロピ
レン（ＰＰ）、ポリエチレン（ＰＥ）、ナイロン、ポリエチレンテレフタレート（ＰＥＴ
）などの高分子を用いることができる。ラミネートフィルムの厚さは０．２ｍｍ以下にす
ることが望ましい。
【００６０】
なお、電池容器の形状は、角型、円筒型、薄型、コイン型など、用途に応じて様々なも
のを採用することができる。
【００６１】
また、実施形態に係る二次電池は、上記電極群に電気的に接続されたリードを更に具備
することができる。例えば、実施形態に係る二次電池は、２つのリードを具備することも
できる。一方のリードは、負極集電タブに電気的に接続することができる。他方のリード
は、正極集電タブに電気的に接続することができる。
【００６２】
リードの材料は、特に限定されないが、例えば、正極集電体及び負極集電体と同じ材料
を用いることができる。
【００６３】
実施形態に係る二次電池は、上記リードに電気的に接続され、上記電池容器から引き出
された端子を更に具備することもできる。例えば、実施形態に係る二次電池は、２つの端
子を具備することができる。一方の端子は、負極集電タブに電気的に接続されたリードに
接続することができる。他方の端子は、正極集電タブに電気的に接続されたリードに接続
することができる。
【００６４】
端子の材料は、特に限定されないが、例えば、正極集電体及び負極集電体と同じ材料を
用いることができる。
【００６５】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００６６】
１…外装缶、２…捲回電極群、３…正極リード、３ａ…接続プレート、３ｂ…貫通孔、３
ｃ…第１の挟持ストリップ、３ｄ…第２の挟持ストリップ、４…負極リード、４ａ…接続
プレート、４ｂ…貫通孔、４ｃ…第１の挟持ストリップ、４ｄ…第２の挟持ストリップ、
６…正極端子、７…負極端子、８ａ…正極集電タブ、８ｂ…正極活物質層、８ｃ…正極集
電体、９ａ…負極集電タブ、９ｂ…負極活物質層、９ｃ…負極集電体、１０…セパレータ
、１１、１２…固定部材、１２ａ，１２ｂ…第１，第２の保持部、１４，１５…絶縁ガス
ケット、２０…電池、６１…第一の面、６２…第二の面、６３…第三の面、６４…第四の
面、６５…第五の面、６６…第六の面、２００…塗工端
【図１】
2018063881.tif 000003
【図２】
2018063881.tif 000004
【図３】
2018063881.tif 000005
【図４】
2018063881.tif 000006
【図５】
2018063881.tif 000007
【図６】
2018063881.tif 000008
【図７】
2018063881.tif 000009